(57)【要約】【課題】所望のボタンを拡大して表示し、確実に押下できる情報入力装置を提供する。【解決手段】情報入力装置５は、複数のボタンの中から指示された第１のボタンを含み、第１のボタンの周囲を表示領域として拡大した第１の拡大画像を生成し、生成した第１の拡大画像を表示手段１２に表示する周辺キー拡大表示手段５０と、第１の拡大画像の中で指示された指示領域が、第１の拡大画像の中で移動可能な第１の領域、または前記表示領域の変更を指示する第２の領域に含まれるか否かを判定するタッチ領域判定手段２５と、指示領域の指示が解除されたボタンに基づく情報が入力される入力処理手段３０と、第２の領域に含まれる指示領域の第２の領域における位置に基づいて、表示領域の移動方向を決定する表示方向決定手段３５と、を備える。【選択図】図１
2011034169.tif 000002
【特許請求の範囲】
【請求項１】
複数のボタンを示すボタン画像を表示手段に表示し、前記表示手段に配設された位置座標検知手段で指示位置を検知することにより、指示された前記ボタンに対応する情報を入力する情報入力装置であって、
前記複数のボタンの中から指示された第１のボタンを含み、前記第１のボタンの周囲を表示領域として拡大した第１の拡大画像を生成し、生成した前記第１の拡大画像を前記表示手段に表示する拡大表示手段と、
前記第１の拡大画像の中で指示された指示領域が、前記第１の拡大画像の中で移動可能な第１の領域、または前記表示領域の変更を指示する第２の領域に含まれるか否かを判定する判定手段と、
前記第２の領域に含まれる前記指示領域の位置に基づいて、前記表示領域の移動方向を決定する決定手段と、
前記指示領域の指示が解除された前記ボタンに基づく情報が入力される入力処理手段と、を備え、
前記拡大表示手段は、前記判定手段が前記指示領域は前記第２の領域に含まれると判定した場合、前記決定手段が決定した前記移動方向に前記表示領域を移動した第２の拡大画像を生成し、生成した前記第２の拡大画像を前記表示手段に表示することを特徴とする情報入力装置。
【請求項２】
請求項１に記載の情報入力装置において、
前記決定手段は、前記第１の拡大画像の中心位置から前記指示領域の位置の方向、前記第１のボタンを指示した位置から前記指示領域の位置の方向、および前記指示領域の位置に応じて予め決定された方向、のいずれか１つに基づいて前記移動方向を決定することを特徴とする情報入力装置。
【請求項３】
請求項１乃至２のいずれかに記載の情報入力装置において、
前記指示領域の指示が解除された場合、前記拡大表示手段は、前記表示手段に表示している前記第１の拡大画像または前記第２の拡大画像を、指示および指示解除を可能に継続して表示し、所定の時間に渡って指示および指示解除されない場合、前記ボタン画像を前記表示手段に表示することを特徴とする情報入力装置。
【請求項４】
請求項１乃至３のいずれか１項に記載の情報入力装置において、
前記拡大表示手段は、前記ボタン画像において前記第１のボタンを指示した領域が、前記第１の拡大画像において前記第１のボタンの中心部を指示する前記指示領域と成るように表示することを特徴とする情報入力装置。
【請求項５】
複数のボタンを示すボタン画像を表示手段に表示し、前記表示手段に配設された位置座標検知手段で指示位置を検知することにより、指示された前記ボタンに対応する情報を入力する情報入力方法であって、
前記複数のボタンの中から指示された第１のボタンを含み、前記第１のボタンの周囲を表示領域として拡大した第１の拡大画像を生成し、生成した前記第１の拡大画像を前記表示手段に表示する第１の拡大表示工程と、
前記第１の拡大画像の中で指示された指示領域が、前記第１の拡大画像の中で移動可能な第１の領域、または前記表示領域の変更を指示する第２の領域に含まれるか否かを判定する判定工程と、
前記第２の領域に含まれる前記指示領域の位置に基づいて、前記表示領域の移動方向を決定する決定工程と、
前記判定工程で前記指示領域は前記第２の領域に含まれると判定された場合、前記決定工程で決定した前記移動方向に前記表示領域を移動した第２の拡大画像を生成し、生成した前記第２の拡大画像を前記表示手段に表示する第２の拡大表示工程と、
前記指示領域の指示が解除された前記ボタンに基づく情報が入力される入力処理工程と、を備えることを特徴とする情報入力方法。
【発明の詳細な説明】
【技術分野】
【０００１】
本発明は、情報入力装置および情報入力方法に関する。
【背景技術】
【０００２】
指で表示画面をタッチすることで、タッチされた位置に表示されたボタンに対して関連付けられた処理が実行されるタッチパネルは、各種の情報処理装置の入力装置として多用されている。近年では、情報処理装置の機能の多様化や複雑化に伴い、種々の設定を一画面で行う場合、タッチパネルに表示される各ボタンが小さくなると共に、隣接するボタンとの間隔も狭くなるため、ユーザーによるボタンの押し間違えが頻発した。
このような押し間違えを回避すべく、下記特許文献１に示すように、ユーザーが押下したボタンの周辺にある選択可能なボタンを拡大して表示するタッチパネル制御装置が提案されている。
【先行技術文献】
【特許文献】
【０００３】
【特許文献１】特開２００８−６５５０４号公報
【発明の概要】
【発明が解決しようとする課題】
【０００４】
しかしながら、上記の情報処理装置では、押下されたボタンから所定の範囲に含まれる周辺のボタンは、拡大して表示されるが、表示される範囲を外れた他のボタンは表示されないため、他のボタンを選択することはできなかった。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる情報入力装置は、複数のボタンを示すボタン画像を表示手段に表示し、前記表示手段に配設された位置座標検知手段で指示位置を検知することにより、指示された前記ボタンに対応する情報を入力する情報入力装置であって、前記複数のボタンの中から指示された第１のボタンを含み、前記第１のボタンの周囲を表示領域として拡大した第１の拡大画像を生成し、生成した前記第１の拡大画像を前記表示手段に表示する拡大表示手段と、前記第１の拡大画像の中で指示された指示領域が、前記第１の拡大画像の中で移動可能な第１の領域、または前記表示領域の変更を指示する第２の領域に含まれるか否かを判定する判定手段と、前記第２の領域に含まれる前記指示領域の位置に基づいて、前記表示領域の移動方向を決定する決定手段と、前記指示領域の指示が解除された前記ボタンに基づく情報が入力される入力処理手段と、を備え、前記拡大表示手段は、前記判定手段が前記指示領域は前記第２の領域に含まれると判定した場合、前記決定手段が決定した前記移動方向に前記表示領域を移動した第２の拡大画像を生成し、生成した前記第２の拡大画像を前記表示手段に表示することを特徴とする。
【０００７】
このような構成によれば、情報入力装置は、表示手段に表示されたボタン画像の中から指示された第１のボタンを含み、第１のボタンの周囲を表示領域として拡大した第１の拡大画像を生成し、生成した第１の拡大画像を表示手段に表示する。ここで、情報入力装置は、指示領域が解除された場合、指示領域に応じたボタンに対応する情報が入力されたとして処理し、他方で、指示領域が表示領域の変更を指示する第２の領域に含まれると判定した場合、第２の領域に含まれる指示領域の第２の領域における位置に基づき決定した移動方向に表示領域を移動した第２の拡大画像を生成し、生成した第２の拡大画像を表示手段に表示する。従って、ユーザーが指示したボタン画像の１つを中心にして周囲を拡大した第１の拡大画像の中に、所望するボタンが含まれない場合、ユーザーが第２の領域を指示することで、指示した位置に基づく移動方向に表示領域を移動した第２の拡大画像が表示されるため、ユーザーは、第２の領域を適切に指示することで、所望のボタンを含む拡大画像を表示手段に表示させ、所望のボタンを指示して解除することにより、所望のボタンを選択し、所望のボタンに基づく情報を入力できる。
【０００８】
［適用例２］
上記適用例にかかる情報入力装置において、前記決定手段は、前記第１の拡大画像の中心位置から前記指示領域の位置の方向、前記第１のボタンを指示した位置から前記指示領域の位置の方向、および前記指示領域の位置に応じて予め決定された方向、のいずれか１つに基づいて前記移動方向を決定することが好ましい。
【０００９】
このような構成によれば、表示領域の移動方向をユーザーの所望する方向に決定できる。
【００１０】
［適用例３］
上記適用例にかかる情報入力装置において、前記指示領域の指示が解除された場合、前記拡大表示手段は、前記表示手段に表示している前記第１の拡大画像または前記第２の拡大画像を、指示および指示解除を可能に継続して表示し、所定の時間に渡って指示および指示解除されない場合、前記ボタン画像を前記表示手段に表示することが好ましい。
【００１１】
このような構成によれば、第１の拡大画像または第２の拡大画像において、情報を連続して入力できることに加え、所定の時間に渡り情報が入力されない場合は、ボタン画像に表示を戻すことができる。
【００１２】
［適用例４］
上記適用例にかかる情報入力装置において、前記拡大表示手段は、前記ボタン画像において前記第１のボタンを指示した領域が、前記第１の拡大画像において前記第１のボタンの中心部を指示する前記指示領域と成るように表示しても良い。
【００１３】
［適用例５］
本適用例にかかる情報入力方法は、複数のボタンを示すボタン画像を表示手段に表示し、前記表示手段に配設された位置座標検知手段で指示位置を検知することにより、指示された前記ボタンに対応する情報を入力する情報入力方法であって、前記複数のボタンの中から指示された第１のボタンを含み、前記第１のボタンの周囲を表示領域として拡大した第１の拡大画像を生成し、生成した前記第１の拡大画像を前記表示手段に表示する第１の拡大表示工程と、前記第１の拡大画像の中で指示された指示領域が、前記第１の拡大画像の中で移動可能な第１の領域、または前記表示領域の変更を指示する第２の領域に含まれるか否かを判定する判定工程と、前記第２の領域に含まれる前記指示領域の位置に基づいて、前記表示領域の移動方向を決定する決定工程と、前記判定工程で前記指示領域は前記第２の領域に含まれると判定された場合、前記決定工程で決定した前記移動方向に前記表示領域を移動した第２の拡大画像を生成し、生成した前記第２の拡大画像を前記表示手段に表示する第２の拡大表示工程と、前記指示領域の指示が解除された前記ボタンに基づく情報が入力される入力処理工程と、を備えることを特徴とする。
【００１４】
このような方法によれば、情報入力方法は、表示手段に表示されたボタン画像の中から指示された第１のボタンを含み、第１のボタンの周囲を表示領域として拡大した第１の拡大画像を生成し、生成した第１の拡大画像を表示手段に表示する。ここで、情報入力装置は、指示領域が解除された場合、指示領域に応じたボタンに対応する情報が入力されたとして処理し、他方で、指示領域が表示領域の変更を指示する第２の領域に含まれると判定した場合、第２の領域に含まれる指示領域の第２の領域における位置に基づき決定した移動方向に表示領域を移動した第２の拡大画像を生成し、生成した第２の拡大画像を表示手段に表示する。従って、ユーザーが指示したボタン画像の１つを中心にして周囲を拡大した第１の拡大画像の中に、所望するボタンが含まれない場合、ユーザーが第２の領域を指示することで、指示した位置に基づく移動方向に表示領域を移動した第２の拡大画像が表示されるため、ユーザーは、第２の領域を適切に指示することで、所望のボタンを含む拡大画像を表示手段に表示させ、所望のボタンを指示して解除することにより、所望のボタンを選択し、所望のボタンに基づく情報を入力できる。
【図面の簡単な説明】
【００１５】
【図１】本発明の実施形態に係る情報入力装置の機能構成を示すブロック図。
【図２】本発明の実施形態に係る情報入力装置のハードウェア構成を示す図。
【図３】タッチパネル入力装置の構造を示す図。
【図４】初期画面を示す図。
【図５】（ａ）、（ｂ）および（ｃ）は、タッチ領域の移動に伴う拡大キー入力画面の遷移を示す図。
【図６】本発明の実施形態に係る情報入力装置における処理の流れを示すフローチャート。
【発明を実施するための形態】
【００１６】
以下、情報入力装置について図面を参照して説明する。
【００１７】
（実施形態）
図１は、情報入力装置５の機能構成を示すブロック図である。この情報入力装置５は、表示手段１２、位置座標検知手段１３、情報入力手段２０、タッチ領域判定手段２５、入力処理手段３０、表示方向決定手段３５、拡大表示判定手段４０および周辺キー拡大表示手段５０を備える。また、周辺キー拡大表示手段５０は、拡大領域決定手段５２と拡大画像生成手段５４を備える。また、表示手段１２と位置座標検知手段１３は、タッチパネル入力装置１１を構成する。尚、各機能部は、後述するハードウェアとソフトウェアとが協働することにより、各機能を実現している。本実施形態では、この情報入力装置５は、プリンター、コピー装置、ファクシミリ装置、現金自動預け払い装置（ＡＴＭ）および携帯情報端末装置（ＰＤＡ）等の情報処理装置の操作パネルに組み込まれ、ユーザーが指を押下（タッチ）して指示することにより、タッチした位置に応じた指示が入力されるユーザーインターフェイス機能を提供する。
【００１８】
図２は、情報入力装置５のハードウェア構成を示す図である。この情報入力装置５のハードウェアは、ＣＰＵ（Ｃｅｎｔｒａｌ  Ｐｒｏｃｅｓｓｉｎｇ  Ｕｎｉｔ）８０、記憶部８５、ＬＣＤ制御部９０、タッチパネル制御部９５、およびタッチパネル入力装置１１を構成するタッチパネル１５とＬＣＤ（Ｌｉｑｕｉｄ  Ｃｒｙｓｔａｌ  Ｄｉｓｐｌａｙ）１４を備える。
【００１９】
図３は、タッチパネル入力装置１１の構造を示す図である。周知のように、画像を表示するＬＣＤ１４の表面には、所定の位置関係を持って透明なタッチパネル１５が配設されている。タッチパネル１５の表面には、多数本のＸ軸電極線１６が横方向に平行に設けられると共に、多数本のＹ軸電極線１７が縦方向に平行に設けられている。Ｘ軸電極線１６とＹ軸電極線１７は、それらに指でタッチすると電圧降下が生じ、電圧降下が生じたＸ軸電極線１６、Ｙ軸電極線１７の位置に基づいて、タッチパネル１５のどの位置に指がタッチしているかを検知する。例えば、Ｘ軸電極線１６とＹ軸電極線１７のそれぞれ３本に電圧降下が生じている場合、それぞれ中心部の電極線の交点を指のタッチ位置とする。
尚、本実施形態のタッチパネルは位置座標検知手段１３の一例であり、上記したマトリックススイッチ方式に限定されるものではなく、抵抗膜方式、表面弾性波形式、赤外線方式、電磁誘導波方式および静電容量方式等の種々の方式を採用できる。また、指示する方法は、指に限定されず、スタイラスペンで指示する様態であっても良い。
【００２０】
上述のように、この情報入力装置５は、タッチパネル１５を介してユーザーが情報を入力するための装置である。本実施形態では、ＣＰＵ８０の指令に応じて、ＬＣＤ制御部９０は、情報入力手段２０等のユーザーインターフェイス画面（ＵＩ画面）をＬＣＤ１４に描画する。ＬＣＤ１４は表示手段１２の一例であり、表示方式や表示媒体は限定されない。また、ＬＣＤ１４に表示されたＵＩ画面の所望の領域をユーザーが指でタッチすることで、タッチパネル制御部９５は、タッチパネル１５面上をタッチした位置座標を算出し、算出した位置座標をＣＰＵ８０に入力し、ＣＰＵ８０は位置座標に応じた機能を実行する。
【００２１】
次に、情報入力装置５の各機能部の詳細を図１に基づいて説明する。情報入力手段２０は、ユーザーが情報を入力するための入力手段であり、本実施形態では、図４に示すような初期キー入力画面１００が、タッチパネル入力装置１１の表示領域に最初に表示される。この初期キー入力画面１００には文字入力キー１４０が複数個配置されている。これらの文字入力キー１４０は、ユーザーが文字を入力するためのボタンである。本実施形態では、文字入力キー１４０は、アルファベットと特殊記号に対応し、それぞれのキーには、表示された文字や記号が関連付けられている。尚、この図４では、ユーザーのタッチ位置を示すタッチ領域１３０は、文字入力キー１４０のうち、「Ｎ」に対応する文字入力キー（第１のボタン）１４０Ｎを選択すべくタッチされていることを示している。情報入力手段２０は、タッチ領域１３０の位置に関する情報を位置座標検知手段１３から取得し、取得した情報をタッチ領域判定手段２５に送る。
【００２２】
図１に戻り、タッチ領域判定手段２５は、情報入力手段２０から送られるタッチ領域１３０の位置に関する情報から、ユーザーがタッチしている領域を判定する。本実施形態では、タッチ領域判定手段２５は、ユーザーのタッチ領域１３０が、指定領域１２５か、または、移動領域１２０（図５（ａ））か、を判定し、更に、ユーザーが指をタッチパネルから離した場合に、タッチ領域の解除を判定する。ここで、指定領域１２５（第１の領域）は、ユーザーが所望の文字入力キー１４０を選択すべく、自在に移動可能な領域である。また、移動領域１２０（第２の領域）は、画面に拡大表示されている文字入力キー１４０を変更する変更方向を指示する領域である。尚、本実施形態では、初期キー入力画面１００は全て指定領域１２５であるが、これに限定されるものではない。
【００２３】
タッチ領域判定手段２５は、判定した結果に応じて、入力処理手段３０、表示方向決定手段３５および拡大表示判定手段４０の何れかに駆動指示を送る。即ち、タッチ領域判定手段２５は、タッチ領域１３０が指定領域内であると判定した場合、駆動指示を拡大表示判定手段４０に送る。また、タッチ領域判定手段２５は、タッチ領域１３０が移動領域内であると判定した場合、駆動指示を表示方向決定手段３５に送る。また、タッチ領域判定手段２５は、タッチ解除を判定した場合、駆動指示を入力処理手段３０に送る。
拡大表示判定手段４０は、表示手段１２に表示されている画面が、初期キー入力画面１００の場合、文字入力キー１４０の拡大表示を周辺キー拡大表示手段５０に指示する。
周辺キー拡大表示手段５０は、拡大表示判定手段４０および表示方向決定手段３５から送られる拡大表示の指示に基づいて、文字入力キー１４０の拡大画像を生成し、生成した拡大画像を表示手段１２に表示させる。この場合、拡大画像を生成する拡大倍率は、予めユーザーが設定可能であっても良い。
【００２４】
拡大領域決定手段５２は、初期キー入力画面１００における文字入力キー１４０の配置に従い、拡大表示する文字入力キー１４０の領域を決定する。ここで、拡大表示の指示が拡大表示判定手段４０から送られた場合、拡大領域決定手段５２は、図５（ａ）に示すように、初期キー入力画面１００のタッチ領域１３０の中心位置と、拡大された「Ｎ」の文字入力キー１４０Ｎの中心位置とが略一致するように表示すべく、拡大領域を決定する。拡大領域決定手段５２で決定された拡大領域に関する情報は、拡大画像生成手段５４に送られる。
【００２５】
拡大画像生成手段５４は、拡大領域決定手段５２から送られる拡大領域に関する情報に基づいて、文字入力キー１４０の拡大画像を生成し、生成した拡大画像を含む拡大キー入力画面１１０を表示手段１２に表示させる。この結果、拡大キー入力画面１１０における文字入力キー１４０は、初期キー入力画面１００の配置関係が継承されて再配置されることなく表示され、ユーザーは、タッチ位置を変更することなく、初期キー入力画面１００と拡大キー入力画面１１０において同一の文字入力キー１４０をタッチした状態になり、所望の文字入力キー１４０への移動が容易にできる。
尚、本実施形態では、拡大キー入力画面１１０において、指定領域１２５は中央部に形成されると共に、移動領域１２０は外周部に帯状に形成される。しかしながら、移動領域１２０の形状、形成場所および外観は、本実施形態の様態に限定されず、拡大キー入力画面１１０の四隅に形成されても良い。また、移動領域１２０は、タッチ領域１３０が移動領域１２０に近づいた場合に可視状態になるように、タッチ領域１３０の位置に応じて可視または非可視に変化しても良く、可視の場合は半透明であっても良い。
尚、図５（ｂ）は、タッチ領域１３０の位置が、図５（ａ）の状態から指定領域１２５内を移動した場合を示す。この場合、タッチ領域１３０が移動しても、拡大キー入力画面１１０における文字入力キー１４０の拡大画像は変化しない。
【００２６】
表示方向決定手段３５は、タッチ領域判定手段２５から送られる駆動指示に応じて、拡大キー入力画面１１０における文字入力キー１４０の表示方向を決定する。例えば、図５（ｃ）に示すように、タッチ領域１３０が移動領域１２０の左下側に移動した場合、表示方向決定手段３５は、図５（ａ）における文字入力キー１４０の配置状態から、左下部分に配置された文字入力キー１４０を拡大キー入力画面１１０の中心方向に表示するべく表示方向を決定する。この場合、表示方向は、拡大キー入力画面１１０の中心からタッチ領域１３０が移動した方向であっても良く、指定領域１２５内のタッチ領域１３０の位置と移動領域１２０内に移動したタッチ領域１３０の位置とで決まる方向であっても良い。また、移動領域１２０内に移動したタッチ領域１３０の位置により表示方向を決定しても良い。表示方向決定手段３５で決定された表示方向に関する情報は、周辺キー拡大表示手段５０に送られる。
【００２７】
ここで、周辺キー拡大表示手段５０の拡大領域決定手段５２は、表示方向決定手段３５から送られる表示方向に関する情報に基づいて拡大領域を決定する。この場合、表示方向は左下を示すため、「Ｒ」に対応する文字入力キー１４０Ｒが拡大キー入力画面１１０の中心方向に来るように拡大領域を決定する。また、拡大画像生成手段５４は、拡大領域決定手段５２から送られる拡大領域に関する情報に基づいて、拡大領域に含まれる文字入力キー１４０の拡大画像を生成し、生成した拡大画像を含む拡大キー入力画面１１０は、図５（ｃ）に示すように表示手段１２に表示される。
尚、タッチ領域１３０が移動領域１２０内にある場合、タッチ領域判定手段２５から表示方向決定手段３５に送られる駆動指示は、連続して送られても良い。この場合、拡大キー入力画面１１０に表示される文字入力キー１４０は、右上方向に連続して移動するように変化する。また、タッチ領域１３０が移動領域１２０内にある場合、タッチ領域判定手段２５から表示方向決定手段３５に送られる駆動指示は、一回のみであっても良い。この場合、拡大キー入力画面１１０に表示される文字入力キー１４０は、一回のみ変更される。この場合、タッチ領域１３０を更に所定時間に渡り移動領域１２０内に保持することで、文字入力キー１４０を更に変更できる。
【００２８】
入力処理手段３０は、タッチ領域判定手段２５から送られる駆動指示に応じて、ユーザーのタッチ解除に応じた処理を行う。例えば、図５（ａ）において、「Ｎ」に対応する文字入力キー１４０Ｎをタッチした状態の指が、タッチパネル入力装置１１の表示領域から離れた場合、入力処理手段３０は、指が表示領域と非接触な状態になる直前にタッチしていたキーが選択されたと判断する。従って、入力処理手段３０は、「Ｎ」の文字がユーザーにより決定されたと判定し、「Ｎ」の文字に対応する信号をＣＰＵ８０に送る。また、図５（ｃ）のように、タッチ領域１３０が移動領域１２０を示している場合も同様であり、「Ｒ」に対応する文字入力キー１４０Ｒをタッチした状態の指が、タッチパネル入力装置１１の表示領域から離れた場合、入力処理手段３０は、「Ｒ」の文字がユーザーにより決定されたと判定し、「Ｒ」の文字に対応する信号をＣＰＵ８０に送る。
【００２９】
また、本実施形態では、１つの文字がユーザーにより決定された場合、表示手段１２に表示されている画面は、所定時間に渡り変更されない。この状態で、ユーザーの指が文字入力キー１４０を再度タッチした後に、タッチを解除した場合、入力処理手段３０は、ユーザーがタッチした文字入力キー１４０に対応する文字が次に選択されたとして処理する。尚、所定時間に渡って文字入力キー１４０がタッチされない場合、入力処理手段３０は、表示手段１２に表示する画面を初期キー入力画面１００に戻しても良い。
【００３０】
図６は、情報入力装置５における情報入力処理の流れを示すフローチャートである。情報入力装置５の処理が開始されると、最初に、ＣＰＵ８０は、初期画面である初期キー入力画面１００をタッチパネル入力装置１１の表示領域に表示する（ステップＳ２００）。
続いて、ＣＰＵ８０は、表示画面の何らかのキーがユーザーによりタッチされたか、否かを判定し（ステップＳ２０５）、何れのキーもタッチされていない場合（ステップＳ２０５でＮｏ）、この工程を繰り返す。他方で、何らかのキーがタッチされたと判定した場合（ステップＳ２０５でＹｅｓ）、ＣＰＵ８０は、タッチされた領域を中心とする拡大領域を決定する（ステップＳ２１０）。
【００３１】
続いて、ＣＰＵ８０は、決定した拡大領域の拡大画像を生成し（ステップＳ２１５）、生成した拡大画像を拡大キー入力画面１１０としてタッチパネル入力装置１１の表示領域に表示する（ステップＳ２２０）＜第１の拡大表示工程＞。
続いて、ＣＰＵ８０は、表示画面のタッチが解除されたか、否かを判定する（ステップＳ２２５）。ここで、表示画面のタッチは解除されていない、即ち、タッチされた状態であると判定した場合（ステップＳ２２５でＮｏ）、ＣＰＵ８０は、移動領域１２０がタッチされているか、否かを判定する（ステップＳ２３０）＜判定工程＞。
ここで、移動領域１２０がタッチされていない、即ち、指定領域１２５がタッチされていると判定した場合（ステップＳ２３０でＮｏ）、画面のタッチが解除されたか、否かを判定する工程（ステップＳ２２５）に戻る。
【００３２】
他方で、移動領域１２０がタッチされていると判定した場合（ステップＳ２３０でＹｅｓ）、ＣＰＵ８０は、移動領域１２０のタッチ位置に応じて、拡大領域を決定し（ステップＳ２３５）＜決定工程＞、拡大領域の拡大画像を生成する工程（ステップＳ２１５）＜第２の拡大表示工程＞に戻る。
また、ステップＳ２２５において、表示画面のタッチが解除されたと判定した場合（ステップＳ２２５でＹｅｓ）、ＣＰＵ８０は、タッチが解除された位置に応じた文字入力キー１４０の情報を取得し（ステップＳ２５０）、取得した情報を入力データとして決定する（ステップＳ２５５）＜入力処理工程＞。
【００３３】
続いて、ＣＰＵ８０は、所定の時間に渡りタッチされないか、否かを判定する（ステップＳ２６０）。ここで、ユーザーにより所定の時間内にタッチされた場合（ステップＳ２６０でＮｏ）、移動領域１２０がタッチされたか、否かを判定する工程（ステップＳ２３０）に戻る。
他方で、所定の時間内にタッチされない場合（ステップＳ２６０でＹｅｓ）、ＣＰＵ８０は、終了指示の有無を確認する（ステップＳ２６５）。ここで、終了指示されている場合（ステップＳ２６５でＹｅｓ）は一連の処理を終了し、終了指示されていない場合（ステップＳ２６５でＮｏ）は、初期画面を表示する工程（ステップＳ２００）に戻る。
【００３４】
以上述べた実施形態によれば、初期キー入力画面１００において、ユーザーが所望の文字入力キー１４０をタッチすることで、タッチした文字入力キー１４０を含む周辺の文字入力キー１４０が拡大された拡大キー入力画面１１０が表示される。更に、ユーザーが拡大キー入力画面１１０の移動領域１２０をタッチすることで、移動領域１２０のタッチ位置に応じて表示する文字入力キー１４０が決定され、決定された文字入力キー１４０を含む拡大キー入力画面１１０が表示される。このように、初期キー入力画面１００において配置された文字入力キー１４０の中から、ユーザーが所望する方向に配置された文字入力キー１４０を拡大して表示できることから、ユーザーはタッチパネル入力装置１１を介して情報を正確に入力することができる。
【符号の説明】
【００３５】
５…情報入力装置、１１…タッチパネル入力装置、１２…表示手段、１３…位置座標検知手段、１４…ＬＣＤ、１５…タッチパネル、１６…Ｘ軸電極線、１７…Ｙ軸電極線、２０…情報入力手段、２５…タッチ領域判定手段、３０…入力処理手段、３５…表示方向決定手段、４０…拡大表示判定手段、５０…周辺キー拡大表示手段、５２…拡大領域決定手段、５４…拡大画像生成手段、８０…ＣＰＵ、８５…記憶部、９０…ＬＣＤ制御部、９５…タッチパネル制御部、１００…初期キー入力画面、１１０…拡大キー入力画面、１２０…移動領域、１２５…指定領域、１３０…タッチ領域、１４０，１４０Ｎ，１４０Ｒ…文字入力キー。
【図１】
2011034169.tif 000003
【図２】
2011034169.tif 000004
【図３】
2011034169.tif 000005
【図４】
2011034169.tif 000006
【図５】
2011034169.tif 000007
【図６】
2011034169.tif 000008